(57)【要約】【課題】人体脚部のふくらはぎの血行を促進させるレッグウェアを提供する。【解決手段】人体の下腿部分を覆う円筒状の本体と、前記本体のうち、ふくらはぎ相当部分に磁石を周方向に１〜３個配置する第１の磁石群と、前記ふくらはぎ相当部分に他の１〜３個の磁石を周方向に配置する第２の磁石群を備え、前記第２の磁石群は、前記第１の磁石群よりも前記本体の上端から遠い位置に設けられているレッグウェア。【選択図】図１
2019011519.tif 000002
【特許請求の範囲】
【請求項１】
人体の下腿部分を覆う円筒状の本体と、
前記本体のうち、ふくらはぎ相当部分に磁石を周方向に１〜３個配置する第１の磁石群と、
前記ふくらはぎ相当部分に他の１〜３個の磁石を周方向に配置する第２の磁石群を備え、
前記第２の磁石群は、前記第１の磁石群よりも前記本体の上端から遠い位置に設けられているレッグウェア。
【請求項２】
前記第１の磁石群は２〜３個の磁石からなり、
前記第２の磁石群は他の２〜３個の磁石からなり、
前記第１の磁石群は、前記第２の磁石群よりも前記周方向に間隔を広げて配置している請求項１に記載のレッグウェア。
【請求項３】
前記第１の磁石群は３個の磁石からなり、
前記第２の磁石群は他の３個の磁石からなり、
前記第１の磁石群と前記第２の磁石群によって、前記本体の下端から上端に向けて３列の磁石が構成され、
前記３列の磁石は、前記ふくらはぎ相当部分の表面をかかとの上部分から前記下腿部分の上方に向けて流れる３つの静脈に相当する位置に配置されている請求項１又は２に記載のレッグウェア。
【請求項４】
前記第１の磁石群及び前記第２の磁石群の各磁石は、前記本体の内側に配設されている請求項１乃至３のいずれか一項に記載のレッグウェア。
【請求項５】
前記第１の磁石群及び前記第２の磁石群の各磁石は、前記本体から突出している部分がシリコン含有物に覆われている請求項１乃至４のいずれか一項に記載のレッグウェア。
【請求項６】
前記第１の磁石群及び前記第２の磁石群の各磁石は、半球状を成し、前記半球の底面が前記布地の内側に接着されている請求項５に記載のレッグウェア。
【請求項７】
前記レッグウェアは、前記下腿部分の上方からつま先までを覆う請求項１乃至６のいずれか一項に記載のレッグウェア。
【請求項８】
前記レッグウェアは、前記下腿部分の上方からつま先の手前までを覆う請求項１乃至６のいずれか一項に記載のレッグウェア。
【請求項９】
前記レッグウェアは、前記下腿部分の上方からかかとの上部分までを覆う請求項１乃至６のいずれか一項に記載のレッグウェア。
【発明の詳細な説明】
【技術分野】
【０００１】
本発明は、人体脚部のふくらはぎの血行を促進させるレッグウェアに関する。
【背景技術】
【０００２】
人体脚部のふくらはぎの血行を促進させる様々な靴下等のレッグウェアの開発が進んでいる。
【０００３】
その一例として、特許文献１には、下肢部の経穴（ツボ）を刺激して血行を促進させるために、伸縮自在な弾力性を有する靴下本体の側部に、裏面に磁石を配置した伸縮自在な弾力性を有するシートを着脱可能にして付着させる磁気健康靴下が記載されている。
【先行技術文献】
【特許文献】
【０００４】
【特許文献１】実用新案登録第３１０９５３３号公報
【発明の概要】
【発明が解決しようとする課題】
【０００５】
本発明では、人体脚部のふくらはぎの血行を促進させるレッグウェアを提供することを目的とする。
【課題を解決するための手段】
【０００６】
上記課題を解決するために、代表的な本発明のレッグウェアの一つは、人体の下腿部分を覆う円筒状の本体と、前記本体のうち、ふくらはぎ相当部分に磁石を周方向に１〜３個配置する第１の磁石群と、前記ふくらはぎ相当部分に他の１〜３個の磁石を周方向に配置する第２の磁石群を備え、前記第２の磁石群は、前記第１の磁石群よりも前記本体の上端から遠い位置に設けられている。
【発明の効果】
【０００７】
本発明によれば、人体脚部のふくらはぎの血行を促進させるレッグウェアを提供することができる。
【図面の簡単な説明】
【０００８】
【図１】本発明の実施例１に係るレッグウェア（靴下）の全体側面図。
【図２】本発明の実施例１に係るふくらはぎ側の磁石の配置図。
【図３】本発明の実施例１に係る磁石の形状を示す説明図。
【図４】本発明の実施例１に係る磁石のサイズに対応する靴下の着圧を説明する表。
【図５】本発明の実施例１に係る磁石の形状の変形例を示す説明図。
【図６】本発明の実施例２に係るレッグウェア（つま先開きタイプ靴下）の全体側面図。
【図７】本発明の実施例３に係るレッグウェア（ゲイター）の全体側面図。
【発明を実施するための形態】
【０００９】
以下、図面を参照しながら本発明の実施の形態を説明する。
【実施例１】
【００１０】
（構成）
図１は、本発明の実施例１に係るレッグウェアの全体図である。本実施例では、レッグウェアの一例として、靴下を説明する。靴下１００は、人体脚部のつま先を覆うつま先部分１１０と、足の裏から甲にかけて足全体を覆う足部分１２０と、かかとを覆う生地を補強するかかと部分１３０と、ひざの下からかかとの上までの下腿部分を覆う円筒形状の本体１４０と、ひざ下部分に相当する開口（図示略）を備えるゴム口部分１５０とを有する。これらの各部は同じ編地からなっている。また、つま先部分１１０、かかと部分１３０、及び、ゴム口部分１５０は補強の観点から補強の編地を使用してもよい。
【００１１】
靴下１００を装着した時、本体１４０のかかと部分１３０の上部であるふくらはぎ相当部分に装着されるふくらはぎ部１６０には、複数の磁石１６が配置されている。磁石１６は、本体１４０の下腿部の肌に接する面に設けられている。図１では、複数の磁石１６を点線で模式的に表示している。
【００１２】
図２は、本発明の実施例１に係るふくらはぎ部１６０の磁石の配置を説明するための図である。磁石１６は円周方向に３個並べ、縦方向（かかと部から下腿部上方に向けて）に５個並べているが、縦方向には２個以上の複数の磁石が並んでいればよい。この図面に示す実施例においては、１５個の磁石１６ａ〜１６ｏが円筒形状の本体１４０のふくらはぎ部１６０の肌に接する内面に配置されている場合を説明する。３つの磁石１６ａ、１６ｂ及び１６ｃからなる第１の磁石群は、内周方向に間隔幅Ｗ１として配置され、他の磁石１６に比べゴム口部分１５０に近く、ひざ相当部分に最も近い高さに配置されている。ここで、説明の便宜上、第１の磁石群（１６ａ、１６ｂ及び１６ｃ）は第１の内周方向に配置されているという。
【００１３】
次に、３つの磁石１６ｄ、１６ｅ及び１６ｆからなる第２の磁石群は、第１の磁石群の配設位置よりかかと部分１３０に近い第２の内周方向に配置されている。また、第２の磁石群の外側同士の磁石（１６ｄ、１６ｆ）の配設間隔幅Ｗ２は、第１の磁石群の外側同士の磁石（１６ａ、１６ｃ）の間隔幅Ｗ１より狭い配置となっている。
【００１４】
同様に、３つの磁石１６ｇ、１６ｈ及び１６ｉからなる第３の磁石群は、第２の磁石群の配設位置よりかかと部分１３０に近い第３の内周方向に配置されている。また、第３の磁石群の外側同士の磁石（１６ｇ、１６ｉ）の間隔幅Ｗ３は、第２の磁石群の外側同士の磁石（１６ｄ、１６ｆ）の間隔幅Ｗ２より狭い配置となっている。
【００１５】
同様に、３つの磁石１６ｊ、１６ｋ及び１６ｌからなる第４の磁石群は、第３の内周よりもかかと部分１３０に近い第４の内周方向に配置されている。また、外側同士の磁石（１６ｊ、１６ｌ）の間隔幅Ｗ４は、第３の磁石群の外側同士の磁石（１６ｇ、１６ｉ）の間隔幅Ｗ３より狭い配置となっている。
【００１６】
同様に、３つの磁石１６ｍ、１６ｎ及び１６ｏからなる第５の磁石群は、第４の内周よりもかかと部分１３０に近い第５の内周方向に配置されている。また、外側同士の磁石（１６ｍ、１６ｏ）の間隔幅Ｗ５は、第４の磁石群の外側同士の磁石（１６ｊ、１６ｌ）の間隔幅Ｗ４より狭い配置となっている。
【００１７】
図３は、本発明の実施例１に係る磁石の形状を示す説明図である。磁石１６は装着時にふくらはぎ相当部分に装着されるふくらはぎ部１６０の肌に接する内側面である内周面１６２に貼りつけられている。磁石１６の形状は、直径寸法Ｄ、高さ寸法Ｈとする半球であり、円形の底面が内周面１６２に貼りつけられている。磁石１６はシリコン含有物のカバーで覆われ、布地から突出している。また、磁石１６は磁石粉をシリコンに含有させてもよい。
【００１８】
この構成の靴下１００を着用すると、着用者のふくらはぎは靴下１００のふくらはぎ部１６０の内周面１６２に接し、磁石１６は高さＨ分だけ着用者の肌にくい込むことになる。また、磁石１６がくい込む肌に接する面積は、磁石１６の直径寸法Ｄで求められる円の面積を加算した面積に相当する。
【００１９】
図４は、本発明の実施例１に係る磁石のサイズに対応する靴下の着圧を説明する表である。磁石１６は、直径寸法Ｄが５〜３０ｍｍ、高さ寸法Ｈが０．３〜５０ｍｍ、磁力は８０〜２００ｍＴである。
【００２０】
磁石の形状は、半球に限られず、立方体であってもよい。底面が正方形の場合、図４の寸法Ｄは、正方形の各辺の長さを表し、寸法Ｈは立方体の高さを表す。ここで、上面（すなわち、着用者の肌にくい込む面）の角には、丸みを設けてもよい。角の丸みの半径Ｒの寸法は適宜決めてよいが、Ｒの寸法を大きくすると、装着感が良好になる。
【００２１】
また、靴下１００の本体１４０の着圧は、ゴム口部分１５０側（「本体の上端」ともいう）から、かかと部分１３０側（「本体の下端」ともいう）にかけて段階的に高くなり、０〜５０ｈＰａである。
【００２２】
図５は、磁石の形状の変形例を説明するための図である。同図（ａ）は、磁石の形状が楕円型の半球の場合の底面（楕円形）の寸法形状を示す。同図（ｂ）は、磁石の形状が直方体の場合の底面（長方形）の寸法形状を示す。磁石の形状が直方体の場合、上述した立方体の場合と同様、上面の角に丸みを設けてもよい。また、高さ寸法Ｈは０．３〜５０ｍｍとする。
【００２３】
（作用）
靴下１００のふくらはぎ部１６０の内周面１６２に配置された磁石１６は、ゴム口部分１５０からかかと部分１３０にかけて円筒状の本体１４０の長さ方向に３列に配置されている。そして、図２で説明した通り、各列の磁石間の幅は、最もかかと部分１３０に近い寸法Ｗ５が狭く、ゴム口部分１５０側に向けて寸法Ｗ４、寸法Ｗ３、寸法Ｗ２と間隔が広くなり、最もゴム口部分１５０に近い磁石間隔寸法Ｗ１が最も広い配置となっている。
【００２４】
通常の下腿部のふくらはぎにはかかと側からひざ裏（「下腿部分の上方」ともいう）に向かう静脈が通っているが、このように磁石１６を配置することによって、靴下１００を装着すると、ふくらはぎの表面をかかと側からひざ裏側に向けて広がる３つの静脈の位置に対応する位置に靴下１００の３列の磁石を当接させることができる。これによって、エコノミー症候群の一つである血栓が発生する静脈に相当する位置に磁石１６を当接させて圧着することにより、血栓を生じにくくすることできる。
【００２５】
また、シリコン製のカバーで覆われた磁石１６の形状は半球であり、肌にくい込み、磁石のＳＮの還流が大きくなり、上述した血栓を起こしにくくする作用がより効果的になる。
【００２６】
加えて、下腿部分１４０の着圧はかかと部分側が最も高く、ゴム口部分１５０側に向けて低くすることによって、血行を促進させ、エコノミー症候群を予防することができる。
【００２７】
（効果）
実施例１によれば、靴下１００の着用者のふくらはぎの血行をかかと部から下腿部上方に向けて促進することができる。これによって、エコノミー症候群の症状を緩和することができる。
【００２８】
また、磁石１６は、シリコン製のカバーで覆われており、装着時、肌に接する面に配置されているため、靴下１００をいったん着用すると、磁石１６は肌にくい込み、肌に対してずれにくくなっている。加えて、シリコン製のカバーは半球であるため、半球の円形状の底面は平坦になり、靴下１００の布地に付きやすくなるという効果も有する。
【００２９】
さらに、磁石の底面の形状が、図５（ａ）、（ｂ）に示す形状の場合、長い辺を本体の長軸方向に平行に配置すると、静脈に沿う形になり、磁力を効果的に受けることができるという効果を有する。
【００３０】
一方、長い辺を円筒の周方向に平行に配置すると、ふくらはぎを流れる静脈の周方向の位置には個人差が少しあるが、その個人差をカバーすることができるという効果を有する。
【実施例２】
【００３１】
（構成）
図６は、本発明の実施例２に係るレッグウェアの全体図である。本実施例では、レッグウェアの一例として、つま先開きタイプの靴下を説明する。つま先開きタイプの靴下２００の構成のうち、図１と同じ構成には同じ符号を付け、その説明を省略する。図６が図１と異なる点はつま先側に開口部２１０を設けていることである。
【００３２】
（作用効果）
このようなつま先開きタイプの靴下２００は、つま先の蒸れを防ぎ、医療機関などでよく用いられる。このつま先開きタイプの靴下２００の円筒状の本体１４０のふくらはぎ側の内周面に磁石１６を設けることによって、実施例１と同様、つま先開きタイプの靴下２００の着用者のふくらはぎの血行を促進することができる。これによって、エコノミー症候群の症状を緩和することができる。
【実施例３】
【００３３】
（構成）
図７は、本発明の実施例３に係るレッグウェアの全体図である。本実施例では、レッグウェアの一例として、ゲイターを説明する。ゲイター３００の構成のうち、図１と同じ構成には同じ符号を付け、その説明を省略する。図７が図１と異なる点は、踝より下の部分を覆う布地が無く、くるぶし側の開口部３１０を設けていることである。
【００３４】
（作用効果）
このようなゲイター３００は、くるぶしより下を覆うショートソックスなどを履いたままの状態であっても、ゲイター３００を履くことができる。このゲイター３００の円筒状の本体１４０のふくらはぎ側の内周面に磁石１６を設けることによって、実施例１と同様、ゲイター３００の着用者のふくらはぎの血行を促進することができる。これによって、エコノミー症候群の症状を緩和することができる。
【００３５】
以上、本発明の実施例について説明してきたが、これらのうち、２つ以上の実施例を組み合わせて実施してもよい。あるいは、これらのうち、１つの実施例を部分的に実施してもよい。さらには、これらのうち、２つ以上の実施例を部分的に組み合わせて実施してもよい。
【００３６】
例えば、本発明は、エコノミー症候群の症状を緩和するためのレッグウェアであり、靴下だけでなく、女性向けの弾性ストッキングにも適用できる。
【００３７】
本発明は、上記発明の実施例の説明に何ら限定されるものではない。特許請求の範囲の記載を逸脱せず、当業者が容易に想到できる範囲で種々の変形態様もこの発明に含まれる。例えば、磁石１６は円周方向に３個に並べ、縦列には５個の磁石を設けたが、これに限定されるものではなく、磁石１６は円周方向に１〜３個（すなわち、１個、２個、又は３個）並べてもよく、縦列は５個よりも多くてもよいし、少なくてもよい。
【符号の説明】
【００３８】
１６  磁石
１００  レッグウェア（靴下）
１１０  つま先部分
１２０  足部分
１３０  かかと部分
１４０  円筒状の本体
１５０  ゴム口部分
１６０  ふくらはぎ部
１６２  内周面
２００  レッグウェア（つま先開きタイプの靴下）
２１０  つま先側の開口部
３００  レッグウェア（ゲイター）
３１０  くるぶし側の開口部
【図１】
2019011519.tif 000003
【図２】
2019011519.tif 000004
【図３】
2019011519.tif 000005
【図４】
2019011519.tif 000006
【図５】
2019011519.tif 000007
【図６】
2019011519.tif 000008
【図７】
2019011519.tif 000009